(57)【要約】      （修正有）【課題】コンビニ、スーパーなどで販売されている弁当パックに供されるソース、醤油などが封入された液体調味料袋を、切り口から裂き、手指で押圧し袋内のソースや醤油などを食品に注ぐ際の飛散を解消する、塗布型易開封性袋を提供する。【解決手段】熱溶着性を有す２枚の合成樹脂製フィルムの周囲をヒートシールし、シール部２を設け、液体調味料が封入される液収納袋部２１とする。シール部２外縁に設けた切り口３から裂断後に、該切り口面が液体調味料の外部吐出口８となり、塗布部となる手段を有した袋体とが、内部吐出口７を有す液流路６で繋がる袋体。【選択図】図１
0003160496.tif 000002
【実用新案登録請求の範囲】
【請求項１】
熱溶着性を有す２枚の合成樹脂製フィルムの周囲がヒートシールされてなる、液体調味料が内部に充填される液収納袋部と、
シール部外縁に設けた切り口から裂断後に、該切り口面が液体調味料の外部吐出口となり、塗布部となる手段を有した袋体とが、
内部吐出口を有す液流路で繋がる構成の袋体であることを特徴とする、
塗布型易開封性袋。
【請求項２】
前記、内部吐出口断面積より外部吐出口断面積が大であることを特徴とする、
請求項１に記載の塗布型易開封性袋。
【請求項３】
前記、塗布部となる近傍に、一箇所以上の点熱着部を設けたことを特徴とする、
請求項１から２に記載の塗布型易開封性袋。
【請求項４】
前記、塗布部となる近傍に、一箇所以上の破線状、もしくは帯状の線状熱着部を設けたことを特徴とする、
請求項１から２に記載の塗布型易開封性袋。
【請求項５】
前記、塗布部となる近傍に、不織布などの刷毛体を備えたことを特徴とする、
請求項１から４に記載の塗布型易開封性袋。
【請求項６】
前記、外部吐出口となる近傍に折り曲げ部を設けたことを特徴とする、
請求項１から５のいずれか１項に記載の塗布型易開封性袋。
【考案の詳細な説明】
【技術分野】
【０００１】
本考案は合成樹脂製フィルムの袋体に、液体調味料を封入する、易開封性袋に関する。
【背景技術】
【０００２】
現在コンビニ、スーパーなどで販売されている弁当には、醤油やソースなどの液体調味料を封入したフィルム製の易開封性袋や、栓付きの魚型容器などが供されている。
【考案の開示】
【考案が解決しようとする課題】
【０００３】
上記従来の易開封性袋では、袋開封時の手指の押圧加減により、封入された液体調味料が注ぎ口から噴出し、食品に当たり飛散し衣服や書類にかかったりし、又テーブルや床を汚すことがあった。
【０００４】
パックに納められた調理済み食品は油で揚げた物や、食品の切り口が滑らかな物、又、斜めに角度をもって盛られた物が多く、平坦ではなく食品に注がれた液体調味料は食品に付着せず、滑り落ち、弁当パックの底に溜まったりして、パックを持った手の傾きでパックの底を移動して、醤油やソースを掛けたくない食品にまで付着し、この食品に液体調味料の味が染み込み、風味や美味しさを損ねているのである。
【０００５】
例として、魚のネタがのった寿司に醤油をかけた場合、醤油はネタに付着せず滑り落ち、パック底に溜まり、握られた寿司の米部分のパック底側面が真っ黒なるほどである。
【０００６】
又、暖かい食品をパックに盛付けの際や、飲食時に電子レンジで加熱することで水滴がパックの底に溜まり、この水滴がパック下部に落ちた液体調味料と混ざり液体調味料の味が希薄となり、その持味を減じているのである。
【０００７】
本考案の目的は、食材の持味、醤油やソースの風味を生かし、パックに納められた食品、弁当をより美味しく賞味する、塗布型易開封性袋を提供することが目的である。
【課題を解決するための手段】
【０００８】
請求項１に記載の塗布型易開封性袋は、
熱溶着性を有す２枚の合成樹脂製フィルムの周囲がヒートシールされてなる、液体調味料が内部に充填される液収納袋部と、シール部外縁に設けた切り口を裂断後に、該切り口面が液体調味料の外部吐出口となり、塗布部となる手段を有した袋体とが、内部吐出口を有す液流路で繋がる構成の袋体である。図中点描写部分はヒートシール部分である。
【０００９】
請求項２に記載の塗布型易開封性袋は、前記内部吐出口断面積より、外部吐出口断面積が大であることを特徴とする袋体である。小径の内部吐出口から大径の外部吐出口へと押し出されると、液体調味料の速度は減ぜられ、液体調味料の飛散を防ぐのである。
【００１０】
請求項３に記載の塗布型易開封性袋は、請求項１に記載の塗布型易開封性袋において、塗布部に到る近傍の合成樹脂フィルムに、一箇所以上の点熱着部が設けられている。点熱着部を設けたことで、外部吐出口から液体調味料が飛び出さず滲み出る効果を得る。
【００１１】
請求項４に記載の塗布型易開封性袋は、請求項１に記載の塗布型易開封性袋において、塗布部に到る近傍の合成樹脂フィルムに、一箇所以上の破線状、もしくは帯状の線条熱着部が設けられている。
【００１２】
請求項５に記載の塗布型易開封性袋は、請求項１から４に記載の塗布型易開封性袋において、塗布部となる近傍に不織布などの刷毛体を備える。不織布を設けたことで、液体調味料が飛び出さず、滲み出る効果を得る。
【００１３】
請求項６に記載の塗布型易開封性袋は、請求項１から５のいずれかに採用された、塗布部となる辺りに、折り曲げ部を有する。折り曲げ部を設けたことで、液体調味料が飛び出さず、滲み出る効果を得る。
【考案の効果】
【００１４】
本考案によれば、液体調味料は手指の液収納袋への押圧により、液流路端の小断面積の内部吐出口から、大きな断面積の外部吐出口へと流れるために、流れの速度が遅くなり、液体調味料は袋体からの出口となる外部吐出口から、滲み出る出方となり飛散することがなくなる。
【００１５】
従来のフィルムタイプの易開封性袋の切り口面から、食品にかけられた液体調味料は、食品の一部に付着するが、染み込むタイプの食材以外の大部分は、パックの底部分に流れ落ちる。本考案の塗布型易開封性袋は塗布タイプであるために、流れ落ちる液体調味料は遥かに少量であり、醤油やソースも少量で済み減塩効果も得る。
【００１６】
また、本考案によれば液体調味料を食品にかけるのではなく、塗布するために衣服への飛散の心配はもとより、食品パックの底に流れ落ちた醤油やソースが溜まり、液体調味料を必要としない他の食品の下部に付着したりすることがなくなるのである。
【００１７】
さらに、本考案によれば、食品が盛付けられたパック底部で、調理後の盛付けや、電子レンジによる食品の加熱時に発生する水滴が、液体調味料と混ざり希薄となるのを防ぎ、液体調味料の風味や、食品の持味を損なうことなく美味しく頂くことが出来るのである。
【００１８】
旅行地や観光地で販売されている、蒲鉾やちくわなどの練り製品を買い求めても、周知されている金魚型やフィルム状の調味料容器が付いていることは少ない。この従来のタイプ液体調味料容器では、醤油やソースが練り製品から滑り落ち、床を汚したりしていた。本考案の塗布型易開封性袋であれば、乗り物の揺れや振動による影響も心配なく、列車内やバス、自家用車内を汚す心配も少なく、販路の拡大が可能である。
【考案を実施するための形態】
【００１９】
図１乃至５に、本考案の一実施形態が採用された塗布型易開封製袋を示す。
【実施例１】
【００２０】
図１、図２に示すように、熱溶着性を有す２枚の合成樹脂製フィルムの周囲をヒートシールされてなり、液体調味料が内部に充填される液収納袋部２１と、シール部２の外縁に切り口３を有し、切り口３の裂断後に現出した切り口面が外部吐出口８となり、塗布部となる手段を有した袋体とが、内部吐出口７を端部にもつ液流路６と一体となり繋がる袋体１である。そして塗布部となる辺りにスポット熱着部９を設けてなる構成である。なお、熱溶着性を有す合成樹脂製フィルムはシート状でなく筒状のフィルムでもよい。
【００２１】
使用方法は、シール部２や掴み代５をもち、切り口３を裂断し、外部吐出口８を露出す。液収納袋部２１を手指で加減しながら押圧することで、液体調味料は液流路６を通り内部吐出口７に到る。内部吐出口７より出た液体調味料はスポット熱着部９の間を経て塗布部となった外部吐出口８より滲み出る。この液体調味料を食品に塗布する要領である。
【００２２】
スポット熱着部９は、上下の合成樹脂フィルム１１，１２の間を狭くし、液体調味料の飛び出しを防ぎ、塗布部となる外部吐出口８で巾広く分散されるのである。
【実施例２】
【００２３】
(ａ)   図３は、切り口３を裂断後に塗布部となる辺りに、一個以上の線条の熱着部を設けた本考案の塗布型易開封性袋である。この線条熱着部４は破線であっても、曲線であってもよい。線条熱着部４は上下のフィルム１１，１２の間隙を狭くし液体調味料が滲み出す効果を得、外部吐出口８で液体調味料を左右に分散するものである。
【００２４】
(ｂ)  図４の(Ａ)，(Ｂ)は、内部吐出口７から塗布部となる間に、刷毛となる不織布１０をスポット熱着９にて固定した塗布型易開封性袋を示すものである。不織布１０を備えたことにより、液体調味料が滲み出、醤油やソースの飛散をなくすのである。
【００２５】
(ｃ)  図５は、外部吐出口８の近傍に折り曲げ部２０を設けた、塗布型易開封性袋である。前記(ｂ)のように不織布の利用や、本項のように折り曲げ部を設けることは、滲み出た液体調味料を、より一層塗りやすく刷毛で塗布するように扱えるためである。
【００２６】
(ｄ)  上記各実施形態の構成が適宜組み合わせて採用されてもよい。
【図面の簡単な説明】
【００２７】
【図１】本考案の一実施形態が採用された塗布型易開封性袋の正面図。
【図２】前記、塗布型易開封性袋の外部吐出口部分の斜視図。
【図３】本考案の請求項４の線条熱着部を設けた、塗布型易開封性袋の部分正面図。
【図４】(Ａ)は、請求項５に示す、塗布型易開封性袋の不織布設置部分の断面図。(Ｂ)は、請求項５に示す、塗布型易開封性袋の部分正面図。
【図５】本考案の請求項６に示す、塗布型易開封性袋の折れ曲げ部の斜視図。
【符号の説明】
【００２８】
１  袋体
２  シール部
３  切り口
４  線条熱着部
５  掴み代
６  液流路
７  内部吐出口
８  外部吐出口
９  スポット熱着部
１０  不織布
１１  上フィルム
１２  下フィルム
２０  折れ曲げ部
２１  液収納袋部
【図１】
0003160496.tif 000003
【図２】
0003160496.tif 000004
【図３】
0003160496.tif 000005
【図４】
0003160496.tif 000006
【図５】
0003160496.tif 000007
【手続補正書】
【提出日】平成22年4月14日(2010.4.14)
【手続補正１】
【補正対象書類名】実用新案登録請求の範囲
【補正対象項目名】全文
【補正方法】変更
【補正の内容】
【実用新案登録請求の範囲】
【請求項１】
熱溶着性を有す２枚の合成樹脂製フィルムの周囲がヒートシールされてなる、液体調味
料が内部に充填される液収納袋部と、
シール部外縁に設けた切り口から裂断後に、該切り口面が液体調味料の外部吐出口とな
り、塗布部となる手段を有した袋体とが、
内部吐出口を有す液流路で繋がる構成の袋体であることを特徴とする、
塗布型易開封性袋。
【請求項２】
前記内部吐出口断面積より外部吐出口断面積が大であることを特徴とする、
請求項１に記載の塗布型易開封性袋。
【請求項３】
前記塗布部となる近傍に一箇所以上の点熱着部を設けたことを特徴とする、
請求項１または２記載の塗布型易開封性袋。
【請求項４】
前記塗布部となる近傍に一箇所以上の破線状、もしくは帯状の線状熱着部を設けたこ
とを特徴とする、
請求項１または２記載の塗布型易開封性袋。
【請求項５】
前記塗布部となる近傍に刷毛体を備えたことを特徴とする、
請求項１から４のいずれか１項に記載の塗布型易開封性袋。
【請求項６】
前記外部吐出口となる近傍に折り曲げ部を設けたことを特徴とする、
請求項１から５のいずれか１項に記載の塗布型易開封性袋。